(57)【要約】【課題】応答膜が半透膜の性質を有するものであって、かつ、イオン濃度の低いサンプルを測定対象とする場合であっても、内部液への水分子の浸透が起こらず、更に、温度変化に伴う測定誤差が小さいイオン電極を提供する。【解決手段】応答膜Ｓ１１によって外部から仕切られた空間内に内部液Ｓ１３と当該内部液Ｓ１３に接触する内部極とを備え、測定対象イオンの測定可能な濃度範囲が比較電極の内部液中のハロゲン化物イオン濃度よりも低いイオン電極Ｓ１であって、前記内部液Ｓ１３は、測定対象イオンとハロゲン化物イオンとを含有しており、前記内部液Ｓ１３中の測定対象イオンの濃度とハロゲン化物イオンの濃度とを変動させることにより、内部液Ｓ１３の浸透圧と等温交点とが所望の値になるように調整されており、前記等温交点は、前記測定可能な濃度範囲内に含まれているようにした。【選択図】図６
2014021076.tif 000002
【特許請求の範囲】
【請求項１】
応答膜によって外部から仕切られた空間内に内部液と当該内部液に接触する内部極とを備え、測定対象イオンの測定可能な濃度範囲が比較電極の内部液中のハロゲン化物イオン濃度よりも低いイオン電極であって、
前記内部液は、測定対象イオンとハロゲン化物イオンとを含有しており、
前記内部液中の測定対象イオンの濃度とハロゲン化物イオンの濃度とを変動させることにより、内部液の浸透圧と等温交点とが所望の値になるように調整されており、
前記等温交点は、前記測定可能な濃度範囲内に含まれていることを特徴とするイオン電極。
【請求項２】
前記応答膜は、半透膜である請求項１記載のイオン電極。
【請求項３】
前記内部極が、Ａｇ／ＡｇＣｌ電極である請求項１又は２記載のイオン電極。
【発明の詳細な説明】
【技術分野】
【０００１】
この発明は、環境水等のイオン濃度の低いサンプルを測定対象とする場合に好適なイオン電極に関するものである。
【背景技術】
【０００２】
河川、湖沼、海水等の環境水や、上下水道、工場排水等をサンプルとしてアンモニウムイオン等のイオンの濃度を電気化学的に測定するための電極として、液膜式のイオン電極が知られている（引用文献１）。
【０００３】
この種のイオン電極の応答膜としては半透膜の性質を有するものが用いられているが、内部液の溶質合計のイオン濃度がサンプルのイオン濃度より遥かに高いと、サンプルと内部液との浸透圧差により、サンプル側の水分子が内部液側へと浸透するため指示値が変動したり、場合によっては図７に示すように、応答膜が膨張し、最終的には破裂することがある。例えば、イオン電極の内部液の塩成分のイオン濃度（イオン電極や比較電極に用いる内部液はほぼ塩成分で構成されていると考える。）とサンプルの溶質合計のイオン濃度の差が６．５５Ｍであると、計算上の浸透圧差は１６．４ＭＰａにも上る。
【０００４】
一方、内部液の塩成分のイオン濃度を低くすると、通常行われているイオン電極の内部液に含まれるハロゲン化物イオン濃度と比較電極の内部液に含まれるハロゲン化物イオン濃度（これらの内部液に用いられる塩成分はハロゲン化金属塩、例えばＫＣｌであることが一般的である。）の一致をさせることができず、温度が変化しても膜電位に変動がないいわゆる等温交点が測定可能な範囲からずれて、温度変化に伴う測定誤差が大きくなるという問題点がある。
【先行技術文献】
【特許文献】
【０００５】
【特許文献１】特開２０００−１４６８９９号公報
【発明の概要】
【発明が解決しようとする課題】
【０００６】
そこで本発明は、応答膜が半透膜の性質を有するものであって、かつ、溶質の合計イオン濃度の低いサンプルを測定対象とする場合であっても、内部液への水分子の浸透が起こらず、更に、温度変化に伴う測定誤差が小さいイオン電極を提供すべく図ったものである。
【課題を解決するための手段】
【０００７】
すなわち本発明に係るイオン電極は、応答膜によって外部から仕切られた空間内に内部液と当該内部液に接触する内部極とを備え、測定対象イオンの測定可能な濃度範囲が比較電極の内部液中のハロゲン化物イオン濃度よりも低いイオン電極であって、前記内部液は、測定対象イオンとハロゲン化物イオンとを含有しており、前記内部液中の測定対象イオンの濃度とハロゲン化物イオンの濃度とを変動させることにより、内部液の浸透圧と等温交点とが所望の値になるように調整されており、前記等温交点は、前記測定可能な濃度範囲内に含まれていることを特徴とする。
【０００８】
下記式（１）は、比較電極に接続されたアンモニウムイオン等のイオン電極の応答膜の膜電位を算出するための式である。ここで、当該アンモニウムイオン電極及び合わせて用いられる比較電極の構成は以下のとおりである。
＜アンモニウムイオン電極＞
内部極：Ａｇ／ＡｇＣｌ電極
内部液：ＮＨ４Ｃｌ水溶液
＜比較電極＞
内部極：Ａｇ／ＡｇＣｌ電極
内部液：ＫＣｌ飽和液
【０００９】
【数１】
2014021076.tif 000003
【００１０】
なお、式（１）中の各パラメータはそれぞれ以下のとおりである。
Ｅ：アンモニウムイオン電極の応答膜の膜電位（ｍＶ）
ＥＯＩｏｎ：アンモニウムイオン電極の標準電極電位（ｍＶ）
Ｒ：気体定数
Ｆ：ファラデー定数
Ｔ：絶対温度（Ｋ）
ａＮ，Ｓａｍｐｌｅ：サンプル中のＮＨ４+のイオン活量（ｍｏＬ／Ｌ）
ａＮ，Ｉｏｎ：アンモニウムイオン電極の内部液中のＮＨ４+のイオン活量（ｍｏＬ／Ｌ）
ａＣｌ，Ｒｅｆ：比較電極の内部液中のＣｌ−のイオン活量（ｍｏＬ／Ｌ）
ａＣｌ，Ｉｏｎ：アンモニウムイオン電極の内部液中のＣｌ−のイオン活量（ｍｏＬ／Ｌ）
【００１１】
従来は、Ａｇ／ＡｇＣｌ電極の温度による測定誤差を少なくするために、比較電極の内部液中のＣｌ−のイオン活量（イオン濃度）とイオン電極の内部液中のＣｌ−のイオン活量（イオン濃度）とは等しくする必要があると考えられていた。このため、式（１）中の破線で囲まれたＡ項かつＣ項が１になるように内部液を調製していた。電位を安定させるためにＫＣｌ等を大量に入れているため比較電極の塩化物（ハロゲン化物）イオン活量が大きく、溶質のイオン濃度が低いサンプルを測定すると水分子がイオン電極内部へと浸透していた。しかし、本発明者らは、式（１）中の実線で囲まれたＢ項全体が１になるように各イオンのイオン活量（イオン濃度）を調整すれば、比較電極とイオン電極の内部液中の塩化物（ハロゲン化物）イオン活量が異なっていても等温交点が得られることに想到した。この結果、イオン電極の内部液中の電解質の濃度を下げながらも所望の濃度範囲内に等温交点を得ることに成功した。
【００１２】
このため本発明によれば、内部液中の測定対象イオンの濃度とハロゲン化物イオンの濃度とを変動させることにより、内部液の浸透圧をサンプルの浸透圧と同程度になるように調製しながら、測定対象イオンの測定レンジ内で等温交点を得ることができるので、応答膜が半透膜であって、かつ、イオン濃度の低いサンプルを測定対象とする場合であっても、内部液への水分子の浸透が起こらず、更に、温度変化に伴う測定誤差を小さくすることができる。
【００１３】
本発明に係るイオン電極の内部極としては、例えば、Ａｇ／ＡｇＣｌ電極が用いられる。
【００１４】
本発明に係るイオン電極の測定対象イオンとしては特に限定されないが、例えば、河川、湖沼、海水等の環境水や、上下水道、工場排水等をサンプルとして、その汚染度を評価する際の指標となるアンモニウムイオン等が挙げられる。
【発明の効果】
【００１５】
このように本発明によれば、応答膜が半透膜であって、かつ、イオン濃度の低いサンプルを測定対象とする場合であっても、内部液への水分子の浸透が起こらず、更に、温度変化に伴う測定誤差が小さいイオン電極を得ることができる。
【図面の簡単な説明】
【００１６】
【図１】本発明の一実施形態に係るアンモニア計の模式的斜視全体図。
【図２】同実施形態におけるアンモニア計の仕様態様を示す模式図。
【図３】同実施形態におけるアンモニア計の押圧機構を外した状態の先端面を示す模式図。
【図４】同実施形態におけるアンモニア計の模式的Ａ−Ａ線断面部分拡大図。
【図５】同実施形態におけるアンモニア計の模式的Ｂ−Ｂ線断面、Ｃ−Ｃ線断面部分拡大図。
【図６】実施例の試験結果を示すグラフ。
【図７】従来のアンモニウムイオン電極の応答膜を示す写真。
【発明を実施するための形態】
【００１７】
以下に本発明の一実施形態について図面を参照しながら説明する。
【００１８】
本実施形態の液体分析計は例えば排水処理工程において微生物によりアンモニア態窒素の処理が行われる曝気槽において処理中の排水を分析対象液Ｌとし、その排水中に含まれるアンモニウムイオン濃度を把握するために用いられるアンモニア計１００である。前記曝気槽中の排水は一般的に溶質の濃度が低いものである。
【００１９】
より具体的には前記アンモニア計１００は、３つのセンサＳ１、Ｓ２、Ｓ３が一体となったものであって、センサＳ１、Ｓ２、Ｓ３として基準電位を測定するための基準電極（比較電極）Ｓ３と、アンモニウムイオンによる電位を測定するためのアンモニウムイオン電極Ｓ１と、アンモニウムイオンに対するカリウムイオンの干渉を補正するために用いられるカリウムイオンによる電位を測定するためのカリウムイオン電極Ｓ２とを備えている。
【００２０】
図１の斜視図に示すように前記アンモニア計１００は、概略細円筒状の筐体を有し、その基端側に持ち運び用の鎖が設けてあり、先端面に３つのセンサＳ１、Ｓ２、Ｓ３のセンサ面ＳＰ１、ＳＰ２、ＳＰ３が外側へ露出するように構成してある。なお、本実施形態においてセンサ面ＳＰ１、ＳＰ２、ＳＰ３とは、各電極の応答膜Ｓ１１、Ｓ２１や液絡部Ｓ３１が形成されている面のことを指す。
【００２１】
そして図２の模式図に示すように前記アンモニア計１００の先端面が分析対象液Ｌ中において鉛直下向きとなるように浸され、各センサＳ１、Ｓ２、Ｓ３のセンサ面ＳＰ１、ＳＰ２、ＳＰ３が分析対象液Ｌ中に浸された状態で各電位の測定を行い、分析対象液Ｌ中のアンモニウムイオン濃度を測定するものである。図１及び図２からも分かるように、３つのセンサＳ１、Ｓ２、Ｓ３のうち２つについては分析中にセンサ面ＳＰ１、ＳＰ２に気泡が溜まるのを防ぐためにセンサ面ＳＰ１、ＳＰ２を筐体の軸方向に対して傾斜して設けてある。さらに、傾斜している２つのセンサ面ＳＰ１、ＳＰ２についてはその向きが同じ所定方向を向くように構成してある。
【００２２】
さらに各部について説明する。
【００２３】
図３に前記アンモニア計１００の先端面の平面図を示す。アンモニア計１００の先端面は円形状をなすものであり、図面視において左右方向に延びる先端面の一方の中心線上に基準電極Ｓ３のセンサ面ＳＰ３と、後述する温度計保護管Ｐとが並んで配置してある。また、図面視において上下方向に延びるもう一方の中心線よりもややずれた位置に一列に並んで前記アンモニウムイオン電極Ｓ１の先端部と、前記カリウムイオン電極Ｓ２の先端部とが並んで配置してある。以下の説明では、図３に示すＡ−Ａ線で切断した断面図である図４、Ｂ−Ｂ線又はＣ−Ｃ線で切断した切断した断面図である図５も参照しながら説明する。なお、Ｂ−Ｂ線、Ｃ−Ｃ線で切断した断面は略対称に表れるので図５の一図で代表させて記載している。
【００２４】
各断面図に示すように前記アンモニア計１００は、基端側に中空部を有し、先端側に中実部が形成された概略円筒形状をしたボディ１と、前記ボディ１に差し込まれた３つのセンサＳ１、Ｓ２、Ｓ３と、前記ボディ１の先端側を覆うように設けられているキャップ状の前記３つのセンサＳ１、Ｓ２、Ｓ３を前記ボディ１に対して押圧して固定する押圧機構２とから構成してある。
【００２５】
前記ボディ１には軸方向に延びる４つの差し込み穴ＰＨ１、ＰＨ２、ＰＨ３、ＰＨ４が形成してあり、概略円筒状をなす３つのセンサＳ１、Ｓ２、Ｓ３と前記温度計保護管Ｐがそれぞれ対応する差し込み穴ＰＨ１、ＰＨ２、ＰＨ３、ＰＨ４に差し込んである。また、この差し込み穴ＰＨ１、ＰＨ２、ＰＨ３にはめねじは形成されておらず、各センサＳ１、Ｓ２、Ｓ３が単に差し込まれるだけである。なお、温度計保護管Ｐについては外れないように差し込み穴ＰＨ４に対して固定してある。また、温度計保護管Ｐの内部には、前記各センサＳ１、Ｓ２、Ｓ３の測定値に対して温度補償をする際に用いられる温度を測定する温度センサＴＳが収容してある。
【００２６】
３つのセンサＳ１、Ｓ２、Ｓ３について共通している部分について説明すると、各図からも分かるように各センサＳ１、Ｓ２、Ｓ３は概略円筒形状に形成された樹脂製の支持管Ｓ１２、Ｓ２２、Ｓ３２を有し、当該支持管Ｓ１２、Ｓ２２、Ｓ３２の内部には内部液Ｓ１３、Ｓ２３、Ｓ３３と、当該内部液Ｓ１３、Ｓ２３、Ｓ３３に浸漬された内部電極Ｓ１Ｅ、Ｓ２Ｅ、Ｓ３Ｅとが収容されている。前記支持管Ｓ１２、Ｓ２２、Ｓ３２の先端には開口部が形成されており、この開口部を塞ぐように応答膜Ｓ１１、Ｓ２１又は液絡部Ｓ３１が設けてある。また、支持管Ｓ１２、Ｓ２２、Ｓ３２の外周面にＯリングが設けてあり、前記差し込み穴ＰＨ１、ＰＨ２、ＰＨ３との間で軸シールをなすように構成してある。さらに、各センサＳ１、Ｓ２、Ｓ３の基端は前記差し込み穴ＰＨ１、ＰＨ２、ＰＨ３の最奥において電極端子Ｄと接触し、取得された各電位がその電極端子Ｄから外部の演算装置へと伝達されるようにしてある。また、支持管Ｓ１２、Ｓ２２、Ｓ３２の外観形状について共通している部分についてさらに詳述すると、各センサＳ１、Ｓ２、Ｓ３の支持管Ｓ１２、Ｓ２２、Ｓ３２は、先端部が基端部側よりも直径の大きい太円筒部Ｓ１４、Ｓ２４、Ｓ３４を有し、この太円筒部Ｓ１４、Ｓ２４、Ｓ３４の基端側端面が前記差し込み穴ＰＨ１、ＰＨ２、ＰＨ３に形成された段部に係合して前記ボディ１と接触するボディ接触面Ｓ１７、Ｓ２７、Ｓ３７としての機能を果たす。また太円筒部Ｓ１４、Ｓ２４、Ｓ３４の外周面中央部には半径方向に突出したリング状の突出部Ｓ１５、Ｓ２５、Ｓ３５が形成してあり、この突出部Ｓ１５、Ｓ２５、Ｓ３５の先端側平面が前記押圧機構２と係合する係合部Ｓ１６、Ｓ２６、Ｓ３６として構成してある。すなわち、この係合部Ｓ１６、Ｓ２６、Ｓ３６が前記押圧機構２により前記ボディ１側へと押されることにより、前記ボディ接触面Ｓ１７、Ｓ２７、Ｓ３７がボディ１へと押しつけられ、各センサＳ１、Ｓ２、Ｓ３がボディ１に対して所定の力で固定されることになる。
【００２７】
３つのセンサＳ１、Ｓ２、Ｓ３のうちセンサ面ＳＰ３が延伸軸線に対して垂直な方向に形成されている前記基準電極Ｓ３は、図４に示すように液絡部Ｓ３１が支持管Ｓ３２の先端から着脱可能に構成してあり、連続使用による汚れ等により液絡部Ｓ３１としての機能が低下してきた場合には交換できるようにしてある。
【００２８】
応答膜Ｓ１１、Ｓ２１が設けられておりセンサ面ＳＰ１、ＳＰ２がセンサＳ１、Ｓ２、Ｓ３の延伸軸線に対して傾斜して設けてあるアンモニウムイオン電極Ｓ１、及び、カリウムイオン電極Ｓ２はその形状は略同じ形状をしている。
【００２９】
前記押圧機構２は、全てのセンサＳ１、Ｓ２、Ｓ３を一括して前記ボディ１に対して押圧するものである。断面図においてはアンモニア計１００の先端面において概略コの字状の部材として示されるものであり、前記ボディ１の先端部を略覆うものである。また、前記ボディ１の先端部を覆った状態において各センサＳ１、Ｓ２、Ｓ３のセンサ面ＳＰ１、ＳＰ２、ＳＰ３と前記温度計保護管Ｐの先端とを外部へと露出させるための貫通孔ＴＨ１、ＴＨ２、ＴＨ３、ＴＨ４を４つ備えている。
【００３０】
本実施形態のアンモニウムイオン電極Ｓ１の内部液Ｓ１３には、塩化アンモニウムが含まれており、内部電極Ｓ１ＥとしてはＡｇ／ＡｇＣｌ電極が用いられている。また、応答膜Ｓ１１は、選択的にアンモニウムイオンに応答する膜であり、半透膜としての性質を有する。このような各イオンに対応する膜としては、具体的には、例えば有機溶媒とそれらを担持するポリ塩化ビニル樹脂やシリコーンゴム等からなるものが挙げられる。一方、基準電極Ｓ３の内部液Ｓ３３としては過飽和の塩化カリウム溶液が用いられ、内部電極Ｓ３ＥとしてはＡｇ／ＡｇＣｌ電極が用いられている。
【００３１】
当該アンモニウムイオン電極Ｓ１の応答膜Ｓ１１の膜電位（ｍＶ）は下記式（１）で表すことができる。
【００３２】
【数２】
2014021076.tif 000004
【００３３】
ここで、式（１）中の各パラメータはそれぞれ以下のとおりである。
Ｅ：アンモニウムイオン電極Ｓ１の応答膜Ｓ１１の膜電位（ｍＶ）
ＥＯＩｏｎ：アンモニウムイオン電極Ｓ１の標準電極電位（ｍＶ）
Ｒ：気体定数
Ｆ：ファラデー定数
Ｔ：絶対温度（Ｋ）
ａＮ，Ｓａｍｐｌｅ：分析対象液Ｌ中のＮＨ４+のイオン活量（ｍｏＬ／Ｌ）
ａＮ，Ｉｏｎ：アンモニウムイオン電極Ｓ１の内部液Ｓ１３中のＮＨ４+のイオン活量（ｍｏＬ／Ｌ）
ａＣｌ，Ｒｅｆ：基準電極Ｓ３の内部液Ｓ３３中のＣｌ−のイオン活量（ｍｏＬ／Ｌ）
ａＣｌ，Ｉｏｎ：アンモニウムイオン電極Ｓ１の内部液Ｓ１３中のＣｌ−のイオン活量（ｍｏＬ／Ｌ）
【００３４】
本実施形態においては、式（１）中の実線で囲まれたＢ項全体が１になる点が測定可能な濃度範囲内に入るように各イオンのイオン活量（イオン濃度）が調整されていることにより、分析対象液Ｌ中のアンモニウムイオンの濃度範囲内、すなわち測定レンジ内で、等温交点を得ることができる。更に、本実施形態では、内部液Ｓ１３の浸透圧が分析対象液Ｌの浸透圧と同程度になるように、内部液Ｓ１３中のアンモニウムイオンの濃度と塩化物イオンの濃度とが調整されている。なお、式（１）に基づいてシミュレーションを行い、等温交点が測定レンジ内に入るように内部液を調製してもよい。
【００３５】
このように構成した本実施形態のアンモニウム計１００によれば、アンモニウムイオン電極Ｓ１の内部液Ｓ１３中のアンモニウムイオンの濃度と塩化物イオンの濃度とを変動させることにより、内部液Ｓ１３の浸透圧を分析対象液Ｌの浸透圧と同程度になるように調製しながら、分析対象液Ｌ中のアンモニウムイオンの濃度範囲内で等温交点が得られるので、応答膜Ｓ１１が半透膜であって、かつ、アンモニウムイオンの低い分析対象液Ｌを測定対象とする場合も、内部液Ｓ１３への水分子の浸透が起こらず、更に、温度変化に伴う測定誤差を小さくすることができる。
【００３６】
なお、本発明は前記実施形態に限られるものではない。
【００３７】
例えば、内部液Ｓ１３の浸透圧は、アンモニウムイオンの濃度と塩化物イオンの濃度だけでなく、溶質の全イオン濃度に依存するので、内部液Ｓ１３にＣａＣｌ２等の他の電解質を加えることにより、浸透圧の微調整を行ってもよい。
【００３８】
本発明に係るイオン電極に用いる内部極としては、Ａｇ／ＡｇＣｌ電極に限定されず、特定のイオン濃度によって電位が決定される他の電極を使用することもできる。このような他の電極としては、例えば、Ａｇ／ＡｇＢｒ電極、Ａｇ／ＡｇＩ電極、Ｈｇ／ＨｇＢｒ電極等の各種ハロゲン化銀電極やハロゲン化水銀電極等が挙げられる。
【００３９】
また、本発明に係るイオン電極に用いる内部液としては、ＮＨ４Ｃｌ水溶液に限定されず、イオン電極の種類に応じて適宜選択すればよく、例えば、カリウムイオン電極であればＫＣｌ水溶液を用いることができ、カルシウムイオン電極であればＣａＣｌ２水溶液を用いることができ、ナトリウムイオン電極であればＮａＣｌやＮａＢｒ、ＮａＩ等の水溶液を用いることができる。
【００４０】
その他、前述した実施形態や変形実施形態の一部又は全部を適宜組み合わせてもよく、その趣旨を逸脱しない範囲で種々の変形が可能であるのは言うまでもない。
【実施例】
【００４１】
本発明の効果を確認するために、以下のような試験を行った。
【００４２】
＜試験条件＞
比較電極として、内部極がＡｇ／ＡｇＣｌ電極であり、内部液が３．３３Ｍの塩化カリウム溶液であるものを使用した。一方、アンモニウムイオン電極の内部液は、等温交点が０．００００７１４Ｍ（１ｐｐｍ・Ｎ）で、浸透圧が塩濃度０．０３Ｍの水溶液と同一になるように調製した。
【００４３】
上記の構成を有する比較電極とアンモニウムイオン電極とを用いて、温度を変化させながら電極の応答が計算式に従っているかどうかを確認した。結果を図６のグラフに示す。
【００４４】
図６のグラフに示すとおり、アンモニウムイオン濃度０．００００７１４Ｍ（１ｐｐｍ・Ｎ）に等温交点を持つことが確認された。なお、等温交点が測定可能な濃度範囲からずれると、測定可能な濃度範囲内の測定値Ｅが式（１）に完全に従わない場合には、式（１）から予想されるＥと、実際の測定値Ｅとの間にずれが大きくなるので測定誤差が大きくなる。
【符号の説明】
【００４５】
Ｓ１・・・アンモニウムイオン電極
Ｓ１１・・・応答膜
Ｓ１３・・・内部液
【図１】
2014021076.tif 000005
【図２】
2014021076.tif 000006
【図３】
2014021076.tif 000007
【図４】
2014021076.tif 000008
【図５】
2014021076.tif 000009
【図６】
2014021076.tif 000010
【図７】
2014021076.tif 000011
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
液絡部を介して外部と連通する空間内にハロゲン化物イオンを含有する内部液と当該内部液に接触する内部極とを備えた比較電極と、
応答膜によって外部から仕切られた空間内に内部液と当該内部液に接触する内部極とを備え、測定対象イオンの測定可能な濃度範囲が前記比較電極の内部液中のハロゲン化物イオン濃度よりも低いイオン電極と、を具備し、
前記イオン電極の内部液は、測定対象イオンとハロゲン化物イオンとを含有しており、
前記イオン電極の内部液は、前記イオン電極の内部液の浸透圧と等温交点とが所望の値になり、かつ、当該等温交点が前記測定可能な濃度範囲内に含まれているように、前記イオン電極の内部液中の測定対象イオンの濃度とハロゲン化物イオンの濃度が調整されたものであり、当該ハロゲン化物イオンの濃度が、前記比較電極の内部液中のハロゲン化物イオンの濃度とは異なっていることを特徴とする液体分析計。
【請求項２】
前記イオン電極の応答膜は、半透膜の性質を有する請求項１記載の液体分析計。
【請求項３】
前記イオン電極の内部極は、Ａｇ／ＡｇＣｌ電極である請求項１又は２記載の液体分析計。
【請求項４】
応答膜によって外部から仕切られた空間内に内部液と当該内部液に接触する内部極とを備え、測定対象イオンの測定可能な濃度範囲が比較電極の内部液中のハロゲン化物イオン濃度よりも低いイオン電極の内部液の調製方法であって、
前記イオン電極の内部液は、測定対象イオンとハロゲン化物イオンとを含有しており、
前記イオン電極の内部液中のハロゲン化物イオンの濃度が、前記比較電極の内部液中のハロゲン化物イオンの濃度とは異なるように規定した、前記イオン電極の内部液中の測定対象イオンの濃度とハロゲン化物イオンの濃度とに基づいて、前記イオン電極の内部液の浸透圧と等温交点とが所望の値になり、かつ、当該等温交点が前記測定可能な濃度範囲内に含まれるように前記イオン電極の内部液を調製することを特徴とするイオン電極の内部液の調製方法。